(57)【要約】【課題】集客力を持つ商品紹介販売者が、作成者が制作した宣伝効果の高いコンテンツを用いて商品を紹介することができる商品紹介販売システム等を提供すること【解決手段】販売サーバー２０は、紹介ページを受信した消費者端末３１から商品ＩＤを受信し、この商品ＩＤに対応するコンテンツとコンテンツＩＤとを、コンテンツデータベースから、受信した商品ＩＤに対応する商品情報と販売ページアドレスを、商品データベースからそれぞれ取得し、取得したコンテンツとコンテンツＩＤと商品情報と販売ページアドレスを含む商品紹介情報を消費者端末に送信する商品紹介情報送信部と、商品紹介情報を受信した消費者端末から販売ページアドレスを受信し、販売ページアドレスに対応する販売ページを生成し、消費者端末に送信する販売ページ送信部とを備えている。【選択図】図１
2008197708.tif 000002
【特許請求の範囲】
【請求項１】
消費者端末の要求に応じて前記消費者端末に情報を送信するウェブサーバーと、前記消費者端末から商品の注文を受け付ける販売サーバーとを備えた商品紹介販売システムにおいて、
前記ウェブサーバーは、
販売サーバーアドレスと商品ＩＤを含む紹介ページを前記消費者端末に送信する紹介ページ送信部を備え
前記販売サーバーは、
前記紹介ページを受信した前記消費者端末から商品ＩＤを受信し、この商品ＩＤに対応するコンテンツとコンテンツＩＤとを、商品ＩＤとその商品を紹介するコンテンツとコンテンツＩＤとを対応付けて記憶するコンテンツデータベースから、前記受信した商品ＩＤに対応する商品情報と販売ページアドレスを、商品ＩＤにその商品の商品情報とその商品を販売する販売ページの販売ページアドレスを対応付けて記憶する商品データベースからそれぞれ取得し、取得したコンテンツとコンテンツＩＤと商品情報と販売ページアドレスを含む商品紹介情報を前記消費者端末に送信する商品紹介情報送信部と、
前記商品紹介情報を受信した前記消費者端末から販売ページアドレスを受信し、販売ページアドレスに対応する販売ページを生成し、前記消費者端末に送信する販売ページ送信部とを備えたことを特徴とした商品紹介販売システム。
【請求項２】
前記紹介ページは、その紹介ページを公開している紹介者の識別情報である紹介者ＩＤを含み、
前記コンテンツデータベースは、前記コンテンツに対応付けてそのコンテンツの制作者の識別情報である制作者ＩＤを記憶し、
前記商品紹介情報送信部は、前記紹介者ＩＤを前記消費者端末から受信し、前記受信した紹介者ＩＤを前記商品紹介情報に含めて前記消費者端末に送信し、
前記販売ページ送信部は、前記紹介者ＩＤを前記消費者端末から受信し、受信したコンテンツＩＤに対応する制作者ＩＤを前記コンテンツデータベースから取得し、前記販売ページに前記取得した制作者ＩＤを含めて前記消費者端末に送信し、
前記販売ページを受信した前記消費者端末から商品購入指示を前記販売ページに含まれる紹介者ＩＤと制作者ＩＤと共に受信し、受信した紹介者ＩＤと制作者ＩＤのそれぞれに対応する報酬支払い先を、前記制作者ＩＤまたは前記利用者ＩＤと報酬の支払い先を対応付けて記憶する利用者データベースから取得して、報酬の支払い処理をする報酬支払い部を備えたことを特徴とした請求項１に記載の商品紹介販売システム。
【請求項３】
前記商品データベースは、コンテンツに対応付けてそのコンテンツが含まれる商品紹介情報が前記消費者端末に送信された回数を示す表示回数と、そのコンテンツが含まれる商品販売ページが前記消費者端末に送信され前記販売サーバーがその商品販売ページを受信した消費者端末から商品注文指示を受信した回数を示す選択回数を記憶し、
前記商品情報送信部は、前記消費者端末から受信した商品ＩＤに対応するコンテンツが複数ある場合に、前記表示回数に対する前記選択回数の割合がもっとも大きいコンテンツを選択し前記商品紹介情報に含めることを特徴とした請求項１または請求項２に記載の商品紹介販売システム。
【請求項４】
コンピュータを、
ウェブサーバから紹介ページを受信した消費者端末から商品ＩＤを受信し、この商品ＩＤに対応するコンテンツとコンテンツＩＤとを、商品ＩＤとその商品を紹介するコンテンツとコンテンツＩＤとを対応付けて記憶するコンテンツデータベースから、前記受信した商品ＩＤに対応する商品情報と販売ページアドレスを、商品ＩＤにその商品の商品情報とその商品を販売する販売ページの販売ページアドレスを対応付けて記憶する商品データベースからそれぞれ取得し、取得したコンテンツとコンテンツＩＤと商品情報と販売ページアドレスを含む商品紹介情報を前記消費者端末に送信する商品紹介情報送信部と、
前記商品紹介情報を受信した前記消費者端末から販売ページアドレスを受信し、販売ページアドレスに対応する販売ページを生成し、前記消費者端末に送信する販売ページ送信部として機能させる商品紹介販売プログラム。
【請求項５】
前記紹介ページは、その紹介ページを公開している紹介者の識別情報である紹介者ＩＤを含み、
前記コンテンツデータベースは、前記コンテンツに対応付けてそのコンテンツの制作者の識別情報である制作者ＩＤを記憶し、
前記商品紹介情報送信部は、前記紹介者ＩＤを前記消費者端末から受信し、前記受信した紹介者ＩＤを前記商品紹介情報に含めて前記消費者端末に送信し、
前記販売ページ送信部は、前記紹介者ＩＤを前記消費者端末から受信し、受信したコンテンツＩＤに対応する制作者ＩＤを前記コンテンツデータベースから取得し、前記販売ページに前記取得した制作者ＩＤを含めて前記消費者端末に送信し、
前記コンピュータを、前記販売ページを受信した前記消費者端末から商品購入指示を前記販売ページに含まれる紹介者ＩＤと制作者ＩＤと共に受信し、受信した紹介者ＩＤと制作者ＩＤのそれぞれに対応する報酬支払い先を、前記制作者ＩＤまたは前記利用者ＩＤと報酬の支払い先を対応付けて記憶する利用者データベースから取得して、報酬の支払い処理をする報酬支払い部として機能させることを特徴とした請求項４に記載の商品紹介販売プログラム。
【請求項６】
前記商品データベースは、コンテンツに対応付けてそのコンテンツが含まれる商品紹介情報が前記消費者端末に送信された回数を示す表示回数と、そのコンテンツが含まれる商品販売ページが前記消費者端末に送信され前記販売サーバーがその商品販売ページを受信した消費者端末から商品注文指示を受信した回数を示す選択回数を記憶し、
前記商品情報送信部は、前記消費者端末から受信した商品ＩＤに対応するコンテンツが複数ある場合に、前記表示回数に対する前記選択回数の割合がもっとも大きいコンテンツを選択し前記商品紹介情報に含めることを特徴とした請求項４または請求項５に記載の商品紹介販売プログラム。
【請求項７】
ウェブサーバーが、販売サーバーアドレスと商品ＩＤを含む紹介ページを消費者端末に送信する紹介ページ送信工程と、
前記紹介ページを受信した前記消費者端末が、前記紹介ページに含まれる商品ＩＤを販売サーバーに送信する商品ＩＤ送信工程と、
前記商品ＩＤを受信した前記販売サーバーが、受信した商品ＩＤに対応するコンテンツとコンテンツＩＤとを、商品ＩＤとその商品を紹介するコンテンツとコンテンツＩＤとを対応付けて記憶するコンテンツデータベースから、前記受信した商品ＩＤに対応する商品情報と販売ページアドレスを、商品ＩＤにその商品の商品情報とその商品を販売する販売ページの販売ページアドレスを対応付けて記憶する商品データベースからそれぞれ取得し、取得したコンテンツとコンテンツＩＤと商品情報と販売ページアドレスを含む商品紹介情報を前記消費者端末に送信する商品紹介情報送信工程と、
前記商品紹介情報を受信した前記消費者端末が前記紹介ページに含まれる販売ページアドレスを前記販売サーバーに送信するアドレス送信工程と、
前記販売ページアドレスを受信した前記販売サーバーが、受信した販売ページアドレスに対応する販売ページを生成し、前記消費者端末に送信する販売ページ送信工程とを備えたことを特徴とした商品紹介販売方法。
【請求項８】
前記紹介ページは、その紹介ページを公開している紹介者の識別情報である紹介者ＩＤを含み、
前記コンテンツデータベースは、前記コンテンツに対応付けてそのコンテンツの制作者の識別情報である制作者ＩＤを記憶し、
前記商品紹介情報送信工程では、前記紹介者ＩＤを前記消費者端末から受信し、前記受信した紹介者ＩＤを前記商品紹介情報に含めて前記消費者端末に送信し、
前記販売ページ送信工程では、前記紹介者ＩＤを前記消費者端末から受信し、受信したコンテンツＩＤに対応する制作者ＩＤを前記コンテンツデータベースから取得し、前記販売ページに前記取得した制作者ＩＤを含めて前記消費者端末に送信し、
前記販売サーバーが、前記販売ページを受信した前記消費者端末から商品購入指示を前記販売ページに含まれる紹介者ＩＤと制作者ＩＤと共に受信し、受信した紹介者ＩＤと制作者ＩＤのそれぞれに対応する報酬支払い先を、前記制作者ＩＤまたは前記利用者ＩＤと報酬の支払い先を対応付けて記憶する利用者データベースから取得して、報酬の支払い処理をする報酬支払い工程を備えたことを特徴とした請求項７に記載の商品紹介販売方法。
【請求項９】
前記商品データベースは、コンテンツに対応付けてそのコンテンツが含まれる商品紹介情報が前記消費者端末に送信された回数を示す表示回数と、そのコンテンツが含まれる商品販売ページが前記消費者端末に送信され前記販売サーバーその商品販売ページを受信した消費者端末から商品注文指示を受信した回数を示す選択回数を記憶し、
前記商品情報送信工程では、前記消費者端末から受信した商品ＩＤに対応するコンテンツが複数ある場合に、前記表示回数に対する前記選択回数の割合がもっとも大きいコンテンツを選択し前記商品紹介情報に含めることを特徴とした請求項７または請求項８に記載の商品紹介販売方法。
【発明の詳細な説明】
【技術分野】
【０００１】
本発明は、商品をウェブページ等で紹介し販売するシステムに関し、特に、集客力を持つ商品紹介販売者が、コンテンツ制作者が制作した宣伝効果の高いコンテンツ用いて商品を紹介することができる商品紹介販売システム等に関する。
【背景技術】
【０００２】
オンラインショップなどが、集客や販売促進のために用いている商品紹介販売制度（アフィリエイトプログラム）では、商品を紹介した人に、商品の売上の一部が紹介販売報酬として提供される。
特許文献１に記載されている商品広告・宣伝方法では、商品に関する情報等を公開する情報提供装置に対する参照等があったときに、介在した仲介者を識別して接続記録装置に記録し、その記録に基づいて仲介者へ販売への貢献に応じた報酬を支払う。
【０００３】
【特許文献１】特開２００５−２０２５９１号公報
【発明の開示】
【発明が解決しようとする課題】
【０００４】
紹介販売においては、消費者に商品を効果的に宣伝し、販売につなげるためには、相応の技能が必要とされるため、紹介販売を行いたい人全てが効果的に紹介販売できるとは限らない。一方で、商品の紹介に必要な商品紹介文や広告コピー、宣伝動画など（以下、「コンテンツ」という）を制作する技能を持っている人であっても、消費者を集客する手段を持たなければ、商品の紹介販売を効果的に実施できない。
【０００５】
本発明は、集客力を持つ商品紹介販売者が、制作者が制作した宣伝効果の高いコンテンツを用いて商品を紹介することができる商品紹介販売システム等を提供することを目的とする。
【課題を解決するための手段】
【０００６】
本発明の商品紹介販売システムは、消費者端末の要求に応じて消費者端末に情報を送信するウェブサーバーと、消費者端末から商品の注文を受け付ける販売サーバーとを含んでいる。
ウェブサーバーは、販売サーバーアドレスと商品ＩＤを含む紹介ページを消費者端末に送信する紹介ページ送信部を備えている。
販売サーバーは、紹介ページを受信した消費者端末から商品ＩＤを受信し、この商品ＩＤに対応するコンテンツとコンテンツＩＤとを、商品ＩＤとその商品を紹介するコンテンツとコンテンツＩＤとを対応付けて記憶するコンテンツデータベースから、受信した商品ＩＤに対応する商品情報と販売ページアドレスを、対象商品ＩＤにその商品の商品情報とその商品を販売する販売ページのアドレスである販売ページアドレスを対応付けて記憶する商品データベースからそれぞれ取得し、取得したコンテンツとコンテンツＩＤと商品情報と販売ページアドレスを含む商品紹介情報を消費者端末に送信する商品紹介情報送信部と、商品紹介情報を受信した消費者端末から販売ページアドレスを受信し、販売ページアドレスに対応する販売ページを生成し、消費者端末に送信する販売ページ送信部とを備えている。
【０００７】
上記商品紹介販売システムにおいて、紹介ページは、その紹介ページを公開している紹介者の識別情報である紹介者ＩＤを含み、コンテンツデータベースは、コンテンツに対応付けてそのコンテンツの制作者の識別情報である制作者ＩＤを記憶し、商品紹介情報送信部は、紹介者ＩＤを消費者端末から受信し、受信した紹介者ＩＤを商品紹介情報に含めて消費者端末に送信し、販売ページ送信部は、紹介者ＩＤを消費者端末から受信し、受信したコンテンツＩＤに対応する制作者ＩＤをコンテンツデータベースから取得し、販売ページに取得した制作者ＩＤを含めて消費者端末に送信し、販売ページを受信した消費者端末から商品購入指示を販売ページに含まれる紹介者ＩＤと制作者ＩＤと共に受信し、受信した紹介者ＩＤと制作者ＩＤのそれぞれに対応する報酬支払い先を、制作者ＩＤまたは利用者ＩＤと報酬の支払い先を対応付けて記憶する利用者データベースから取得して、報酬の支払い処理をする報酬支払い部を備えるようにしてもよい。
【０００８】
上記商品紹介販売システムにおいて、商品データベースは、コンテンツに対応付けてそのコンテンツが含まれる商品紹介情報が消費者端末に送信された回数を示す表示回数と、そのコンテンツが含まれる商品販売ページが消費者端末に送信されその商品販売ページを受信した消費者端末から商品注文指示を受信した回数を示す選択回数を記憶し、商品情報送信部は、消費者端末から受信した商品ＩＤに対応するコンテンツが複数ある場合に、表示回数に対する選択回数の割合が大きいコンテンツを選択し商品紹介情報に含めるようにしてもよい。
【０００９】
本発明の、商品紹介販売プログラム、商品紹介販売方法によっても同様に上記課題を解決することができる。
【発明の効果】
【００１０】
集客力を持つ紹介者が、制作者の制作した宣伝効果の高い紹介コンテンツを用いることができ、効果的な紹介販売ができる。
【発明を実施するための最良の形態】
【００１１】
図を参照しながら本発明の一実施形態である商品紹介販売システム１の構成と動作について説明する。
図１は、商品紹介販売システム１の構成を示す図である。
商品紹介販売システム１は、ウェブサーバー１０と販売サーバー２０と消費者端末３１と紹介者端末３２と制作者端末３３を備えている。消費者端末３１は、例えばインターネット等の通信路４０を介してウェブサーバー１０及び販売サーバー２０と通信可能に構成されている。紹介者端末３２は、通信路４０を介してウェブサーバー１０及び販売サーバー２０と通信可能に構成されている。制作者端末３３は、通信路４０を介して販売サーバー２０と通信可能に構成されている。
【００１２】
消費者端末３１は、販売サーバー２０の販売ページ２５を利用して商品を購入する消費者が使用するパーソナルコンピュータ、携帯電話機等の端末装置である。
【００１３】
紹介者端末３２は、ウェブサーバー１０上の自己のウェブページで商品の紹介を行う紹介者が使用するパーソナルコンピュータ、携帯電話機等の端末装置である。
【００１４】
制作者端末３３は、商品を紹介するコンテンツを制作し販売サーバー２０に登録する制作者が使用するパーソナルコンピュータ、携帯電話機等の端末装置である。
【００１５】
消費者端末３１、紹介者端末３２、制作者端末３３は、それぞれ、ウェブサーバー１０及び販売サーバー２０と通信を行う通信機能、上記各サーバーとの間で送受信する情報を表示する機能、利用者からデータや端末装置に対する指示を取得する入力機能を備えている。また、図１には上記の各端末装置を１台ずつ図示しているが、実際にはそれぞれ複数台により構成される。
【００１６】
ウェブサーバー１０は、消費者端末３１からの要求に応じて紹介ページ等の情報を消費者端末３１に送信するサーバコンピュータで、ウェブサーバープログラム１１と紹介ページ１２を備えている。図１にはウェブサーバー１０を１台だけ図示しているが、実際には複数台により構成される。
【００１７】
ウェブサーバープログラム１１は、ウェブサーバー１０のＣＰＵ(Central Processing Unit)により実行されウェブサーバー１０が備えるハードウェアを制御して次の機能を実現する。
（１）消費者端末３１の要求に応じて紹介ページ１２を消費者端末３１に送信する。
【００１８】
紹介ページ１２は、紹介者により作成されるウェブページで、その一部に後述する商品紹介情報を表示する。
【００１９】
販売サーバー２０は、例えばＲＤＢＭＳ（Relational DataBase Management System）が動作するサーバコンピュータで、販売サーバープログラム２１、利用者データベース（以下、「利用者ＤＢ」という）２２、コンテンツデータベース（以下、「コンテンツＤＢ」という）２３、商品データベース（以下、「商品ＤＢ」という）２４、販売ページ２５を備えている。
【００２０】
販売サーバープログラム２１は、販売サーバー２０のＣＰＵにより実行され販売サーバー２０が備えるハードウェアを制御して次の機能を実現する。
（１）ウェブサーバー１０の紹介ページ１２にアクセスした消費者端末３１に、紹介ページ１２に対応する紹介者ＩＤ、コンテンツＩＤ、コンテンツ、商品情報、販売ページアドレスを含む商品紹介情報を送信する。このとき、消費者がアクセスした紹介ページが紹介する商品に対応する表示回数を１増やす。
（２）商品紹介情報を選択した消費者端末３１に、商品紹介情報に対応する販売ページ、紹介者ＩＤ、制作者ＩＤを含む販売ページを送信する。このとき商品紹介情報に含まれるコンテンツに対応する選択回数を１増やす。
（３）販売ページを見た消費者が商品を購入する操作をしたときに、消費者端末３１から販売ページに含まれる紹介者ＩＤと制作者ＩＤを受信し、これらのＩＤに対応する紹介者と制作者の口座に報酬を振り込む処理をする。
【００２１】
利用者ＤＢ２２は、紹介者および制作者に関する情報を保持するデータベースである。
図３（ａ）に利用者ＤＢ２２のデータ構造例を示す。
利用者ＤＢ２２は、利用者ＩＤ２２１と利用者口座番号２２２のデータ項目を持っている。
利用者ＩＤ２２１は、紹介者または制作者の識別子となる情報である。紹介者の利用者ＩＤを紹介者ＩＤ、制作者の利用者ＩＤを制作者ＩＤと呼ぶことにする。
利用者口座番号２２２は、紹介者または制作者に対して、紹介販売報酬を振り込むための振込先となる銀行口座番号である。
【００２２】
コンテンツＤＢ２３は、商品を紹介するコンテンツに関する情報を保持するデータベースである。
図３（ｂ）にコンテンツＤＢ２３のデータ構造例を示す。
コンテンツＤＢ２３は、コンテンツＩＤ２３１、制作者ＩＤ２３２、対象商品ＩＤ２３３、コンテンツ２３４、表示回数２３５、選択回数２３６のデータ項目を持っている。
コンテンツＩＤ２３１は、コンテンツの識別子となる情報で、制作者端末３３から新たなコンテンツを受信したときに付与される。
制作者ＩＤ２３２は、コンテンツの制作者の利用者ＩＤである。
対象商品ＩＤ２３３は、コンテンツが紹介の対象としている商品の識別子である。
コンテンツ２３４は、テキスト、画像、動画、音声その他の形式でデータ化されている商品を紹介するコンテンツで、制作者が作成し端末３３により販売サーバー２０に送信しコンテンツＤＢに登録する。
表示回数２３５は、紹介ページにおいてコンテンツが表示された回数を保持する。
選択回数２３６は、紹介ページにおいてコンテンツが表示された際に、消費者がそのコンテンツを選択した回数を保持する。
【００２３】
商品ＤＢ２４は、商品に関する情報を保持するデータベースである。
図３（ｃ）に商品ＤＢ２４のデータ構造例を示す。
商品ＤＢ２４は、商品ＩＤ２４１、商品情報２４２、販売ページアドレス２４３のデータ項目を持っている。
商品ＩＤ２４１は、商品の識別子となる情報で、コンテンツＤＢ２３の対象商品ＩＤ２３３と対応している。
商品情報２４２は、商品の名称や価格など、商品に関する情報である。
販売ページアドレス２４３は、該当の商品を実際に購入できる機能を持つウェブページの所在を示す情報である。
【００２４】
販売ページ２５は、商品情報の表示や注文、決済などの機能を有するウェブページで、商品ごとに動的に生成され、消費者端末３１の要求に応じて消費者販売サーバープログラム２１により消費者端末３１に送信される。
【００２５】
図１には、販売サーバー２０を１台のサーバコンピュータで構成する例を示したが、複数台のコンピュータにより構成することもできる。例えば、各データベースを販売サーバー２０と接続されたストレージ装置に格納するようにしてもよいし、販売サーバープログラム２１の各機能を複数のサーバコンピュータに適宜分散して実装するようにしてもよい。
【００２６】
次に、商品紹介販売システム１の動作について説明する。
図２は、商品紹介販売システム１の動作の概要を説明する図である。
商品紹介販売システム１では、商品の紹介に用いることのできるコンテンツの制作者と、インターネット上のウェブページなどで商品を紹介する紹介者は、あらかじめ商品の販売者（以下、「販売者」という）に申請し、自身の利用者ＩＤを取得する。制作者は、コンテンツを販売サーバー２０に登録しておく（図２の（１））。
販売者は、販売サーバー２０に商品ＤＢ２４と、コンテンツＤＢ２４を持つ。コンテンツＤＢには、コンテンツの制作者IDも含まれる。
商品の紹介販売を行う紹介者は、紹介ページの中に、販売サーバー２０の商品紹介を表示する機能を呼び出す記述を入れる（図２の（２））。
消費者が紹介ページを表示させると、紹介ページ１２を表示させるウェブサーバー１０は、紹介ページの記述から販売サーバー２０を呼び出し、紹介ページに記載されている紹介商品ＩＤや紹介者IDを送信する。販売サーバー２０は、受信した商品ＩＤに対応する販売ページＵＲＬや商品の紹介コンテンツ（複数ある場合はそのいずれか）のコンテンツIDを情報として含む商品紹介情報を構成し、紹介ページ１２を持つウェブサーバー１０へ送信する。ウェブサーバー１０は、受信した商品紹介情報を含む紹介ページ１２を構成し、消費者端末３１に送信し、消費者端末３１がこれを表示する。
消費者が、紹介ページに掲載されている商品紹介情報を選択すると、商品の販売ページが表示されるとともに、コンテンツＩＤ、紹介者ＩＤが販売サーバープログラム２１へ引き渡される（図２の（３））。
この消費者が、販売ページを操作し、商品を購入した場合、販売者は、紹介者と、コンテンツを制作した制作者にそれぞれ、あらかじめ定めた報酬（以下、「販売報酬」という）を提供する（図２の（４））。
【００２７】
次に、制作者が商品を紹介するコンテンツを制作し、販売サーバー２０に登録し、紹介者が特定の商品の紹介部分を含む紹介ページ１２を制作し、消費者が消費者端末３１を用いて、紹介ページ１２を閲覧し、そこで紹介されている商品の販売ページ２５を操作して商品を購入する場合の商品紹介販売システム４を記述する。
紹介者と制作者はあらかじめ、販売者に申請するなどして、利用者ＤＢ２２へ、自身の情報として利用者ＩＤ２２１、利用者口座番号２２２を登録しておく。また、販売者はあらかじめ、商品ＤＢ２４へ、自身が販売する商品の商品ＩＤ２４１、商品情報２４２、販売ページアドレス２４３を登録しておく。なお、販売ページアドレス２４３は、該当の商品の販売ページ２５の所在を示す情報であるとする。
【００２８】
図４は、制作者が作成したコンテンツを販売サーバー２０へ登録する際の商品販売システム１の動作を示すシーケンス図である。
制作者は、制作者端末３３を用いて商品ＤＢ２４にアクセスし、制作するコンテンツが紹介する対象となる商品の商品ＩＤ２４１を取得する（Ｓ１０１）。
制作者は、対象となる商品を紹介するコンテンツを制作する（Ｓ１０２）。
制作者は、制作者端末３３を用いてコンテンツＤＢ２３にアクセスし、自身の利用者IDを制作者ＩＤ２３２として、取得した商品ＩＤ２４１を対象商品ＩＤ２３３として、制作したコンテンツをコンテンツ２３４として登録する。また、この登録の際、コンテンツの識別子であるコンテンツＩＤ２３１が新たに生成され、コンテンツＤＢ２３に格納される。また同時に、表示回数２３５、選択回数２３６としてそれぞれ値0が格納される（Ｓ１０３）。
上記の手順が複数の制作者によって行われ、複数のコンテンツがコンテンツＤＢ２３に登録されるものとする。
【００２９】
図５は、紹介者が紹介ページで商品の紹介を行う際の商品販売システム１の動作を示すシーケンス図である。
紹介者は、紹介者端末３２を用いて商品ＤＢ２４にアクセスし、紹介したい商品の商品ＩＤ２４１を取得する（Ｓ２０１）。
また、紹介者は、紹介者端末３２を用いて、あらかじめ定められた販売サーバープログラム２１へのアクセスアドレス（以下、「販売サーバーアドレス」という）と取得した商品ＩＤ２４１と自身の利用者ＩＤを組み合わせた情報（以下、「商品紹介呼出情報」という）を紹介ページ１２内に記述する（Ｓ２０２）。
【００３０】
図６は、消費者が紹介ページを閲覧する際の商品販売システム１の動作を示すシーケンス図である。
消費者は、消費者端末３１を用いて、ウェブサーバープログラム１１へ紹介ページ１２の表示を要求する（Ｓ３０１）。
ウェブサーバープログラム１１は、紹介ページ１２を端末３１へ送信する（Ｓ３０２）。
消費者端末３１は、紹介ページ１２内に記述されている商品紹介呼出情報に含まれる販売サーバーアドレスが示す販売サーバープログラム２１へ、商品紹介の表示を要求するとともに、商品紹介呼出情報に含まれる商品ＩＤ２４１、紹介者ＩＤを送信する（Ｓ３０３）。
販売サーバープログラム２１は、コンテンツＤＢ２３を参照し、受信した商品ＩＤ２４１に合致する対象商品ＩＤ２３３を持つコンテンツのコンテンツＩＤ２３１とコンテンツ２３４を取得する。また、商品ＤＢ２４を参照し、受信した商品ＩＤ２４１に該当する商品情報２４２、販売ページアドレス２４３を取得する。また、取得したコンテンツＩＤ２３１に該当する表示回数２３５の値を1増やす（Ｓ３０４）。
なお、該当するコンテンツが複数存在する場合は、いずれか1つを選択するものとするが、ここではコンテンツの表示回数２３５に対する選択回数２３６の割合が高いものを選択するとする。これは、消費者に選択される可能性が高い、すなわち消費者によりアピールするコンテンツを選択することに等しい。
さらに販売サーバープログラム２１は、受信した紹介者の利用者ＩＤ、取得したコンテンツＩＤ２３１、コンテンツ２３４、商品情報２４２、販売ページアドレス２４３を情報として含むウェブページを構成し、商品紹介情報として、端末３１へ送信する（Ｓ３０５）。
端末３１は、受信した商品紹介情報に含まれるコンテンツ２３４、商品情報２４２を紹介ページ１２の一部として表示する（Ｓ３０６）。
【００３１】
上記のＳ３０４の説明で、複数のコンテンツがあった場合の選択の仕方を記述しているが、単に表示回数に対する選択回数の割合の高いものから表示すると、表示回数が0回のもの（新規に登録されたもの）が表示されることが無かったり、表示回数が多いものほど選択回数が多くなり、従って同じコンテンツばかり選択されることになったりする。表示回数がある閾値以下のものには表示されるチャンスを均等に与えるとか、選択回数の割合に応じた表示回数にするとか、回避策は色々あるが、ここでは方法は問わない。
以上により、商品に関する情報とそれを紹介するコンテンツが紹介ページを通じて消費者に提示される。
【００３２】
図７は、消費者が販売ページを閲覧する際の商品販売システム１の動作を示すシーケンス図である。
消費者は、端末３１に表示された紹介ページ１２の商品紹介情報を選択する（Ｓ４０１）。
端末は、商品紹介情報に含まれる販売ページアドレス２４３を取得し、それが示す販売ページの表示を販売サーバープログラム２１へ要求する。その際、商品紹介情報に含まれる紹介者ＩＤ、コンテンツＩＤ２３１、販売ページアドレス２４３を販売サーバープログラム２１へ送信する。
販売サーバープログラム２１は、コンテンツＤＢ２３を参照し、受信したコンテンツＩＤ２３１に該当する選択回数２３６の値を１増やす。また、受信したコンテンツＩＤ２３１に該当する制作者ＩＤ２３２を取得する。また、受信した販売ページアドレス２４３に該当する販売ページ２５と受信した紹介者ＩＤと取得した制作者ＩＤ２３２を含むウェブページを構成し、販売ページとして消費者端末３１へ送信する（Ｓ４０３）。
消費者端末３１は、受信した販売ページを表示する（Ｓ４０４）。
【００３３】
販売ページを閲覧した消費者は、販売ページを操作して、最終的にその商品を購入したとする。その際の操作は通常のオンラインショッピング同様であり、ここでは方法は問わない。ここでは、消費者が商品を購入する際の最終的な操作として、販売ページで表示されている購入ボタンを操作したものとする。
図８は、その際、紹介者、制作者に販売報酬を分配する商品販売システム１の動作を示すシーケンス図である。
消費者は、消費者端末３１の操作を通じて販売ページの購入ボタンを操作する（Ｓ５０１）。
消費者端末３１は、販売ページに含まれる紹介者の利用者ＩＤと制作者ＩＤ２３２を販売サーバープログラム２１へ送信する（Ｓ５０２）。
販売サーバープログラム２１は、利用者ＤＢ２２を参照し、受信した利用者ＩＤおよび制作者ＩＤにそれぞれ合致する利用者ＤＢ２２の利用者ＩＤ２２１に該当する紹介者および制作者の利用者口座番号２２２をそれぞれ取得する（Ｓ５０３）。
さらに、販売者サーバープログラム２１は、消費者が購入した商品の販売価格などに応じた紹介販売報酬を設定し、取得した紹介者、制作者それぞれの利用者口座番号２２２へ紹介販売報酬をそれぞれ振り込む。紹介販売報酬の振込については、既存の決済や振込の仕組みを用いるものとする（Ｓ５０４）。
【００３４】
上記の実施形態は、次のようにすることもできる。
販売報酬を金銭で支払うのではなく、例えば商品と交換できるポイントを紹介者や制作者へ付与するようにしてもよい。
紹介ページ自体に商品の注文や決済の機能を掲載するようにしてもよい。
特定の商品を対象とする紹介コンテンツが複数存在した場合に、紹介ページで表示される紹介コンテンツを自動的に選択したり切り替えたりするようにしてもよい。
商品紹介コンテンツを複数表示するなど、3人以上の利用者が紹介販売に関与するようにしてもよい。
【００３５】
次に、商品紹介販売システム１の効果について説明する。
商品紹介販売システム１によれば、制作者が制作したコンテンツは、コンテンツＩＤを付され制作者ＩＤ、対象商品ＩＤと対応付けられてコンテンツＤＢ２３に格納されている。そして、紹介ページ１２には、コンテンツそのものは含まれず、販売サーバー３０のアドレスと商品ＩＤと紹介者ＩＤとが記述されている。販売サーバー３０は、紹介ページを表示した消費者端末３１から紹介ページに含まれる商品ＩＤを取得し、この商品ＩＤに対応するコンテンツを消費者端末３１に送信し、これを受信した消費者端末３１は、コンテンツを画面に表示する。
そのため、集客力を持つ紹介者が、制作者の制作した宣伝効果の高い紹介コンテンツを用いることができ、効果的な紹介販売ができる。
また、紹介者は、自身の紹介ページで紹介したい商品を指定するだけでよりプロモーション効果の高いコンテンツを自身の紹介ページに表示することができる。
さらに、紹介ページでは、表示するコンテンツを指定しないため、販売サーバー２０に格納された情報との不整合に起因するエラーを回避できる。たとえば、紹介ページにコンテンツＤＢ２３から削除されたコンテンツが表示されようとすることにより生じるエラーを回避できる。
【００３６】
紹介者ＩＤと制作者ＩＤが報酬の振込先と対応付けられて利用者データベース２２に登録されている。そして、販売サーバー２０は、販売ページが販売する商品の注文と共に販売ページに対応する紹介者ＩＤを消費者端末３１から受信する。
そのため、紹介ページが選択され、その紹介ページが紹介する商品を消費者が購入した場合に、その紹介ページを所有する紹介者、その商品を紹介するコンテンツの制作者双方へ報酬を提供できる。
【００３７】
コンテンツＤＢ２３には、コンテンツ毎に表示回数と選択回数が記録され、販売サーバープログラム２１は、消費者端末３１から受信した商品ＩＤに対応するコンテンツが複数ある場合に、表示回数と選択回数に基づいて消費者端末３１に送信するコンテンツを選択する。
そのため、消費者端末３１からの要求を受信した都度、その時点で最も効果的と推測されるコンテンツを消費者端末３１に送信することができる。
【図面の簡単な説明】
【００３８】
【図１】本発明の一実施形態である商品紹介販売システムの構成を示す図である。
【図２】商品紹介販売システムの動作の概要を示す図である。
【図３】図３（ａ）は、利用者ＤＢのデータ構造例を示す図である。図３（ｂ）は、コンテンツＤＢのデータ構造例を示す図である。図３（ｃ）は、商品ＤＢのデータ構造例を示す図である。
【図４】商品紹介販売システムのコンテンツ登録動作を示すシーケンス図である。
【図５】商品紹介販売システムの紹介ページ作成動作を示すシーケンス図である。
【図６】商品紹介販売システムの紹介ページ及び商品紹介情報の表示動作を示すシーケンス図である。
【図７】商品紹介販売システムの販売ページの表示動作を示すシーケンス図である。
【図８】商品紹介販売システムの報酬支払い動作を示すシーケンス図である。
【符号の説明】
【００３９】
１  商品紹介販売システム
１０  ウェブサーバー
１１  ウェブサーバープログラム
１２  紹介ページ
２０  販売サーバー
２１  販売サーバープログラム
２２  利用者ＤＢ
２３  コンテンツＤＢ
２４  商品ＤＢ
２５  販売ページ
３１  利用者端末
３２  紹介者端末
３３  制作者端末
４０  通信路
【図１】
2008197708.tif 000003
【図２】
2008197708.tif 000004
【図３】
2008197708.tif 000005
【図４】
2008197708.tif 000006
【図５】
2008197708.tif 000007
【図６】
2008197708.tif 000008
【図７】
2008197708.tif 000009
【図８】
2008197708.tif 000010